(57)【要約】【課題】被切断物への切り込み時に、カッターブレードの中央部の揺れを低減させることができる切断用バイス装置を提供する。【解決手段】パイプ２が載置されるバイス本体１と、バイス本体１にパイプ２を固定するためのチェーン５とを備え、バイス本体１から垂直方向に延設されるとともに、パイプ２を切断するカッターブレード３が案内される隙間部１２を設けた、互いに平行な一対の丸棒１１、１１からなるガイド部材１０を、カッターブレード３の両端部が案内されるよう一対に配置した切断用バイス装置において、カッターブレード３の中央部を挟止する揺れ止め部材１３を、両ガイド部材１０、１０間に亘って設けた。【選択図】図１
2016064452.tif 000002
【特許請求の範囲】
【請求項１】
被切断物が載置されるバイス本体と、
該バイス本体に前記被切断物を固定するための固定具とを備え、
前記バイス本体から垂直方向に延設されるとともに、前記被切断物を切断するカッターブレードが案内される隙間部を設けた、互いに平行な一対の棒材からなるガイド部材を、前記カッターブレードの両端部が案内されるよう一対に配置した切断用バイス装置において、
前記カッターブレードの中央部を挟止する揺れ止め部材を、両ガイド部材間に亘って設けたことを特徴とする切断用バイス装置。
【請求項２】
前記揺れ止め部材の中央部には、前記被切断物の上面中央部に当接する逆Ｖ字状の当接部を形成したことを特徴とする請求項１記載の切断用バイス装置。
【請求項３】
前記ガイド部材の少なくとも一方を、前記カッターブレードの長手方向にスライド可能としたことを特徴とする請求項１または２記載の切断用バイス装置。
【発明の詳細な説明】
【技術分野】
【０００１】
本発明は、パイプを切断する際に、当該パイプを載置、固定するための切断用バイス装置に関するものである。
【背景技術】
【０００２】
被切断物であるパイプを、カッターブレードを備えたセーバーソーを用いて切断する際は、特許文献１に示すような切断用バイス装置にパイプを載置、固定して行うことがある。この切断用バイス装置においては、互いに平行な一対の丸棒からなるガイド部材が、バイス本体から垂直方向に延設されている。また、この２本の丸棒は、カッターブレードを案内する隙間部を持って配置されており、さらに、カッターブレードの両端部を案内するよう、左右一対に配置されている。これにより、カッターブレードを適切な切断位置に案内すると同時に、パイプ軸線方向への、カッターブレードの揺れを抑制可能としている。なお、図５（ａ）に示すように、ガイド部材５０の一方（５０ａ）は、その基端を中心軸５４とした回動機構を備えており、これにより丸棒５２の角度が変更可能となっている。
【０００３】
しかしながら、パイプへの切り込み時には、特にカッターブレードの中央部の揺れが、カッターブレードの両端部における揺れと比較して大きくなってしまい、これにより切断精度が低下する問題があった。
【先行技術文献】
【特許文献】
【０００４】
【特許文献１】特許第３８０７８１０号公報
【発明の概要】
【発明が解決しようとする課題】
【０００５】
本発明の目的は前記した従来の問題点を解決し、被切断物への切り込み時に、カッターブレードの中央部の揺れを低減させることができる切断用バイス装置を提供することである。
【課題を解決するための手段】
【０００６】
上記課題を解決するためになされた本発明は、被切断物が載置されるバイス本体と、該バイス本体に前記被切断物を固定するための固定具とを備え、前記バイス本体から垂直方向に延設されるとともに、前記被切断物を切断するカッターブレードが案内される隙間部を設けた、互いに平行な一対の棒材からなるガイド部材を、前記カッターブレードの両端部が案内されるよう一対に配置した切断用バイス装置において、前記カッターブレードの中央部を挟止する揺れ止め部材を、両ガイド部材間に亘って設けたことを特徴とするものである。
【０００７】
請求項２記載の発明は、請求項１記載の切断用バイス装置において、前記揺れ止め部材の中央部には、前記被切断物の上面中央部に当接する逆Ｖ字状の当接部を形成したことを特徴とするものである。
【０００８】
請求項３記載の発明は、請求項１または２記載の切断用バイス装置において、前記ガイド部材の少なくとも一方を、前記カッターブレードの長手方向にスライド可能としたことを特徴とするものである。
【発明の効果】
【０００９】
本発明に係る切断用バイス装置は、カッターブレードの中央部を挟止する揺れ止め部材を、両ガイド部材間に亘って設けるものとした。これにより、被切断物への切り込み時に、カッターブレードの中央部の揺れを低減させることができる。
【００１０】
請求項２に係る発明のように、揺れ止め部材の中央部には、被切断物の上面中央部に当接する逆Ｖ字状の当接部を形成することにより、被切断物の外径が変更されても、安定して被切断物の上面中央部に当接部が当たることとなり、高い切断精度を保持することができる。また、逆Ｖ字状に形成したことにより、当接部の先端がカッターブレード切り込み部分よりも下方に位置することで、被切断物へ切り込んだ後も一定時間カッターブレードを案内できる。
【００１１】
請求項３に係る発明のように、ガイド部材の少なくとも一方を、カッターブレードの長手方向にスライド可能とすれば、被切断物の外径が小さい場合においても、棒材と被切断物との離距離を小さくすることができ、被切断物軸線方向への、カッターブレードの揺れが低減されることとなる。
【図面の簡単な説明】
【００１２】
【図１】第１の実施形態を示す正面図である。
【図２】第１の実施形態を示す上面図である。
【図３】第１の実施形態を示す側面図である。
【図４】図２におけるカッターブレード基端側の拡大図である。
【図５】従来の切断用バイス装置におけるガイド部材の回動機構と、本発明の切断用バイス装置におけるガイド部材のスライド機構を示す図である。
【図６】第２の実施形態を示す上面図である。
【発明を実施するための形態】
【００１３】
以下に本発明の好ましい実施形態を示す。
図１に示す第１の実施形態おいて、被切断物であるパイプ２は、バイス本体１に載置され、後述する固定具により固定された上で、カッターブレード３を備えたセーバーソー４により切断される。また、固定具は金属製のチェーン５であり、その一端はバイス本体１に固定され、他端は自由端となっている。図１及び図２のように、チェーン５の自由端側には、締め付け機構が設けられており、この締め付け機構は、棒状のハンドルを備えたネジ部材６と、略くの字形状のレバー部材７とを備えている。また、レバー部材７には、チェーン５の自由端を係止する引っ掛け部８が形成されている。これにより、チェーン５をパイプ２の外周に巻き付け、その自由端を引っ掛け部８に係止した上でネジ部材６を締付けると、ネジ部材６に形成されたフランジ部９が、レバー部材７と当接してこれを押圧することで、レバー部材７が支点Ａを中心としてチェーン５を締付ける方向に回動されることとなる。これにより、チェーン５によってパイプ２が締め付けられて、バイス本体１に固定される。
【００１４】
図３のように、互いに平行な一対の丸棒１１、１１からなるガイド部材１０が、バイス本体１から垂直方向に延設されている。この２本の丸棒１１、１１は、カッターブレード３を案内する隙間部１２を持って配置されている。さらに、ガイド部材１０は、カッターブレード３の両端部を案内するように、図１のように左右一対に配置されている。
【００１５】
図１のように、カッターブレード３の中央部を挟止する揺れ止め部材１３が、両ガイド部材１０、１０間に亘って設けられている。この揺れ止め部材１３は、カッターブレード３の長手方向に延び、前記隙間部１２を挿通可能な厚さに形成された金属板１３ａの中央部に、２枚の金属板１３ｂ、１３ｂをネジ止めしてなるものである。なお、２枚の金属板１３ｂ、１３ｂの固定方法はこれに限定されず、その他にも溶接等により取付けるものとしても良い。そして、両金属板１３ｂ、１３ｂにより形成される隙間によって、カッターブレード３の中央部を挟止して保持するものとした。また、揺れ止め部材１３の両端部は、両ガイド部材１０、１０の各々の隙間部１２、１２に挿通され、丸棒１１、１１に沿って下方に案内されるものとした。以上のような構成により、パイプ２への切り込み時に、カッターブレード３の中央部の揺れを低減させることができる。
【００１６】
なお、揺れ止め部材１３のカッターブレード３基端側（図１における左側）には、図４に示すように、突起１４を形成するものとし、この突起１４、１４間に丸棒１１が位置するよう揺れ止め部材１３を取付けることで、揺れ止め部材１３がその長手方向にずれることを防止するものとした。
【００１７】
図１のように、揺れ止め部材１３の中央部を構成する金属板１３ｂ、１３ｂの下部には、パイプ２の上面中央部に当接する逆Ｖ字状の当接部１５を形成することが好ましい。これにより、パイプ２の外径が変更されても、安定してパイプ２の上面中央部に当接部１５が当たることとなり、高い切断精度を保持することができる。例えばパイプ２の外径が第１の実施形態より小さい場合には、揺れ止め部材１３が自重により図１の紙面下方向に下がり、パイプ２の上面中央部に当接部１５が当接することとなる。また、逆Ｖ字状に形成したことにより、当接部１５の先端がカッターブレード３切り込み部分よりも下方に位置することで、パイプ２へ切り込んだ後も一定時間カッターブレード３を案内できる。
【００１８】
ガイド部材１０、１０の少なくとも一方を、カッターブレード３の長手方向にスライド可能とすることがより好ましく、第１の実施形態においては、カッターブレード３先端側（図１における右側）のガイド部材１０ａを、紙面左右方向にスライド可能とした。図５（ａ）に示すように、従来の切断用バイス装置において、カッターブレード５１先端側のガイド部材５０ａは、その基端を中心軸５４とした回動機構を備えており、これにより丸棒５２の角度を変更可能とすることで、カッターブレード５１の先端を適切に、補完的に案内するものとしている。しかしながら、点線で示すようにパイプ５３の外径が小さい場合には、丸棒５２とパイプ５３との離距離（Ｌ１）が大きくなってしまい、パイプ５３軸線方向への、カッターブレード５１の揺れが大きくなってしまう問題があった。したがって、図５（ｂ）のようにガイド部材１０ａをスライド可能とすることにより、点線で示すようにパイプ２の外径が小さい場合においても、丸棒１１とパイプ２との離距離（Ｌ２）を小さくすることができる。これにより、パイプ２軸線方向への、カッターブレード３の揺れが低減されることとなる。なお、前述のように、揺れ止め部材１３の両端部は両ガイド部材１０、１０の各々の隙間部１２、１２に挿通されているため、ガイド部材１０ａをスライドさせても、丸棒１１、１１が揺れ止め部材１３と干渉することもない。
【００１９】
図６には、第２の実施形態を示す。この実施形態では、第１の実施形態と同様、カッターブレード３の中央部を挟止する揺れ止め部材１３が、両ガイド部材１０、１０間に亘って設けられている。揺れ止め部材１３は、カッターブレード３の中央部を保持可能な隙間を持って配置された２枚の金属板１３ｂ、１３ｂの外側に、カッターブレード３の長手方向に延びるとともに、その両端部が両ガイド部材１０、１０の丸棒１１、１１の外側に係止される２枚の金属板１３ａ、１３ａをネジ止めして、一体化したものである。なお、この揺れ止め部材１３は、一体形成されるものであっても良い。揺れ止め部材１３の両端部は、第１の実施形態同様、丸棒１１、１１に沿って下方に案内される。このような構成によっても、パイプ２への切り込み時に、カッターブレード３の中央部の揺れを低減させることができる。
【００２０】
また、揺れ止め部材１３のカッターブレード３基端側（図６における左側）には、略コ字状の係止部１６を形成するものとし、この係止部１６を丸棒１１の外側に係止することで、揺れ止め部材１３がその長手方向にずれることを防止することができる。さらに、揺れ止め部材１３のカッターブレード３先端側（図６における右側）には、折り曲げ部１７を形成した上で、その先端を丸棒１１、１１に係止する構成とすれば、ガイド部材１０ａを紙面左右方向にスライドさせた際に、丸棒１１、１１が揺れ止め部材１３と干渉することもない。
【符号の説明】
【００２１】
１  バイス本体
２  パイプ
３  カッターブレード
４  セーバーソー
５  チェーン
６  ネジ部材
７  レバー部材
８  引っ掛け部
９  フランジ部
１０  ガイド部材
１１  丸棒
１２  隙間部
１３  揺れ止め部材
１３ａ、１３ｂ  金属板
１４  突起
１５  当接部
１６  係止部
１７  折り曲げ部
５０  ガイド部材
５１  カッターブレード
５２  丸棒
５３  パイプ
５４  中心軸
【図１】
2016064452.tif 000003
【図２】
2016064452.tif 000004
【図３】
2016064452.tif 000005
【図４】
2016064452.tif 000006
【図５】
2016064452.tif 000007
【図６】
2016064452.tif 000008